(57)【特許請求の範囲】
【請求項１】
Ａ端とＢ端を接続しリング状にしてびん外周に捲止するバンド本体と、
Ｕ字状をなし、両端部が前記バンド本体の対向位置に係止された吊手を有する吊手バンドにおいて、
前記Ａ端は、先端部に外向き突起を有する第一挿入部と、第二挿入部に枝分かれした挿入部と、前記第一挿入部の基端外側から先端方向に張り出し先端部に内向き突起を有する解除爪を有し、
前記Ｂ端は、先端面から基端方向に穿設されると共に外面に開口する窓部が形成された挿入孔を有し、
前記Ａ端の挿入部を前記Ｂ端の挿入孔に挿入すると、前記外向き突起が前記窓部に係合して前記Ａ端と前記Ｂ端が結合し、
前記Ａ端と前記Ｂ端の結合状態から前記解除爪を押し込むと、前記内向き突起が前記外向き突起を押し込むことで前記外向き突起と前記窓部の係合が解除され、前記Ａ端と前記Ｂ端が分離可能になり、
前記Ａ端と前記Ｂ端の結合状態、および前記Ａ端と前記Ｂ端が分離した状態において、前記外向き突起と前記内向き突起とは、離れていることを特徴とするびんの吊手バンド。
【請求項２】
請求項１に記載の吊手バンドを口部外周に捲止したびん。
【発明の詳細な説明】
【技術分野】
【０００１】
本発明は、梅酒びんなどのびんに取り付けて吊手を形成する吊手バンド、及びこの吊手バンドを装着したびんに関する。
【背景技術】
【０００２】
梅酒びんなどのびんに取り付ける吊手バンドは、びんに簡単に取り付けることができ、またびん洗浄などのときに容易に取り外しのできるものが望まれている。
このような吊手バンドは、例えば下記特許文献１〜３に開示されている。
【０００３】
特許文献１で提案されているものは、バンド本体の中間にジグザグ形折返しを有する外方迂回部を形成し、外方迂回部が変形することでバンド本体の径が拡大するのでびんに対する着脱が可能となり、外方迂回部に適合する凹部を有する止具を外側から嵌着することで外方迂回部の変形及び径の拡大が拘束され、びん外周に固定されるものである。
【０００４】
特許文献２で提案されているものは、バンド本体の両端部を接続してリング状にするもので、一端に凹凸面を形成し、他端に内部に凸凹面を有する断面がコ字状のコ字状部を形成し、一端を他端のコ字状部内に挿入して凹凸面と凸凹面を係合させ、外側から補強カバーを取り付けて両端を接続するものである。
【０００５】
特許文献３で提案されているものは、バンド本体の両端部を接続してリング状にするもので、一端に鋸歯状の突条を備えた挿入片を形成し、他端に挿入片が挿入される挿入孔と、挿入片の突条と係合して挿入片の脱落を阻止する弾性ストッパを形成し、これにより両端を接続するものである。
【先行技術文献】
【特許文献】
【０００６】
【特許文献１】実公平５−２３４７１号公報
【特許文献２】実開昭６４−２７３５号公報
【特許文献３】特開２００９−３５３２９号公報
【発明の概要】
【発明が解決しようとする課題】
【０００７】
前記特許文献１の吊手バンドは、端部のないリング状であるので、びんに対する着脱にやや難があった。すなわち、びん口部に対して着脱する場合、バンド本体がびんのビード（口部の環状突条）を乗り越えさせなければならないが、リング状であるためにこの作業がやや煩雑となる。
【０００８】
前記特許文献１，２の吊手バンドは、止具又は補強カバーが別部品となっているので、びんを洗浄する際にびんから取り外し、止具又は補強カバーが紛失すると再使用不能になってしまうという問題がある。
【０００９】
前記特許文献３の吊手バンドは、鋸歯状の突条や弾性ストッパなど形状が複雑でコスト高であり、びんから取り外す際に、弾性ストッパをその弾性に逆らって外側に引き起こさなければならないので、取り外し作業が煩雑であるという問題がある。
【００１０】
本発明は、簡単な構造で、止具や補強カバーなどの別部品を必要とせず、びんに対する着脱作業を容易にできるびんの吊手バンドを開発することを課題とするものである。
【課題を解決するための手段】
【００１１】
〔請求項１〕
本発明は、Ａ端とＢ端を接続しリング状にしてびん外周に捲止するバンド本体と、
Ｕ字状をなし、両端部が前記バンド本体の対向位置に係止された吊手を有する吊手バンドにおいて、
前記Ａ端は、先端部に外向き突起を有する第一挿入部と、第二挿入部に枝分かれした挿入部と、前記第一挿入部の基端外側から先端方向に張り出し先端部に内向き突起を有する解除爪を有し、
前記Ｂ端は、先端面から基端方向に穿設されると共に外面に開口する窓部が形成された挿入孔を有し、
前記Ａ端の挿入部を前記Ｂ端の挿入孔に挿入すると、前記外向き突起が前記窓部に係合してＡ端とＢ端が結合し、
Ａ端とＢ端の結合状態から前記解除爪を押し込むと、前記内向き突起が前記外向き突起を押し込むことで前記外向き突起と窓部の係合が解除され、Ａ端とＢ端が分離可能になることを特徴とするびんの吊手バンドである。
【００１２】
〔請求項２〕
また本発明は、前記請求項１に記載の吊手バンドを口部外周に捲止したびんである。
【発明の効果】
【００１３】
本発明の吊手バンドは、Ａ端の挿入部をＢ端の挿入孔に挿入してＡ端とＢ端を結合することで、容易にびん口部外周に捲止することができる。また、洗浄などのために吊手バンドをびんから取り外すときは、解除爪を押し込むことで容易にＡ端とＢ端を分離し、びんから取り外すことができる。
また、本発明の吊手バンドは、止具、補強カバーなどの別部品を必要としないので、これらの別部品が紛失するおそれもない。
【図面の簡単な説明】
【００１４】
【図１】実施例の吊手バンド１の上面図である。
【図２】吊手バンド１の下面図である。
【図３】吊手バンド１の正面図である。
【図４】Ａ端の平面図及び正面図である。
【図５】Ｂ端の平面図、正面図及びＸ−Ｘ線断面図である。
【図６】Ａ端をＢ端に結合するときの断面説明図である。
【図７】Ａ端とＢ端の結合状態の断面説明図である。
【図８】Ａ端とＢ端を分離するときの断面説明図である。
【図９】吊手バンド１を取り付けたガラスびん２０の正面図である。
【発明を実施するための形態】
【００１５】
以下、実施例を表した図面に基づいて本発明を詳細に説明する。
図１は実施例の吊手バンド１の上面図、図２は吊手バンド１の下面図、図３は吊手バンド１の正面図、図４はＡ端の平面図及び正面図、図５はＢ端の平面図、正面図及びＸ−Ｘ線断面図、図６はＡ端をＢ端に結合するときの断面説明図、図７はＡ端とＢ端の結合状態の断面説明図、図８はＡ端とＢ端を分離するときの断面説明図、図９は吊手バンド１を取り付けたガラスびん２０の正面図である。
【００１６】
実施例の吊手バンド１はプラスチック製で、バンド本体２と吊手３からなる。
バンド本体２はＡ端４とＢ端５で分断されており、Ａ，Ｂ端を接続することでリング状に形成される。Ａ，Ｂ端から約９０°の位置に、２個所の吊手取付部１０が対向して設けられている。吊手取付部１０には軸受孔が設けられ、Ｕ字状の吊手３の端部の軸部１１をこの軸受孔に軸着し、吊手３がバンド本体２に回動自在に係止されている。軸部１１の先端はフランジ状に膨出しており、軸受孔に軸着した後は抜け出さないようになっている。（図２）
【００１７】
図４はＡ端４に関し、上段に平面図、下段に正面図を示す。
同図に示されるように、Ａ端における先端部は挿入部６となっており、挿入部６は第一挿入部６１と第二挿入部６２に上下に枝分かれしている。また、第一挿入部６１の先端部には外向き突起６１ａが突出形成されている。さらに、第一挿入部６１の基端外側（本実施例の場合は下側）から先端方向に向けて解除爪７が形成されている。解除爪７の先端部には、内向き突起７ａが突出形成されている。外向き突起６１ａと内向き突起７ａの位置は、相互に対応した位置（解除爪を押し込んだときに相互に接触する位置）となっている。
【００１８】
図５はＢ端５に関し、上段に平面図、中段に正面図、下段にＸ−Ｘ線断面図を示す。
同図に示されるように、Ｂ端５の先端には挿入孔８が形成されている。挿入孔８はＢ端の先端面から奧（基端方向）に向かって穿設され、外面（本実施例の場合は下面）に貫通する窓部９を有する。挿入孔８の大きさ（径及び深さ）は挿入部６の大きさに対応し、窓部９の位置は外向き突起６１ａ及び内向き突起７ａの位置（ＡＢ端結合時）に対応している。
【００１９】
図５に示すように、Ａ端４とＢ端５を向き合わせ、Ａ端を矢印方向に動かして挿入部６を挿入孔８に挿入する。挿入部６を挿入孔８に挿入していくと、次第に第一挿入部６１と第二挿入部６２の間隔が狭くなるように変形し、第一挿入部６１は外側方向（本実施例の場合は下方）に付勢された状態となる。外向き突起６１ａが窓部９の位置に至ると、図７のように第一挿入部６１が上方に弾性復帰すると共に外向き突起６１ａが窓部９に係合し、Ａ端とＢ端が結合状態となり、吊手バンドをびん口部に取り付けることができる。
【００２０】
吊手バンド１をびんから取り外すときは、図７のＡＢ端結合状態から、解除爪７を内側（本実施例の場合は上方）に押し込む。すると、図８に示されるように、解除爪の内向き突起７ａが第一挿入部の外向き突起６１ａに接触し、第一挿入部６１が押し上げられる。この状態でＡ端又はＢ端を他端に対して引き離すと、挿入部６が挿入孔８から抜け出し、Ａ端とＢ端が分離して吊手バンドをびんから取り外すことができる。
このように、本発明の吊手バンドは、きわめて容易にびんに着脱することができる。
【００２１】
吊手バンド１は，図９に示されるように、果実酒用のガラスびん２０等に捲止することができる。
ガラスびん２０は口部にビード２１が形成され、蓋２２が装着されている。吊手バンド１は、バンド本体をびん２０口部のビード２１の下部の外周に捲止することで、びん２０に装着される。
【００２２】
本実施例の場合、第一挿入部は第二挿入部の下側に形成されているが、これに限るものではなく、例えば、逆に、第二挿入部の上側に形成してもよい。その場合、窓部は挿入孔の上面に開口する。
【符号の説明】
【００２３】
１  吊手バンド
２  バンド本体
３  吊手
４  Ａ端
５  Ｂ端
６  挿入部
６１  第一挿入部
６１ａ  外向き突起
６２  第二挿入部
７  解除爪
７ａ  内向き突起
８  挿入孔
９  窓部
１０  吊手取付部
１１  軸部
２０  ガラスびん
２１  ビード
２２  蓋
【図１】
0005444583.tif 000002
【図２】
0005444583.tif 000003
【図３】
0005444583.tif 000004
【図４】
0005444583.tif 000005
【図５】
0005444583.tif 000006
【図６】
0005444583.tif 000007
【図７】
0005444583.tif 000008
【図８】
0005444583.tif 000009
【図９】
0005444583.tif 000010